(57)【要約】【課題】音声を再生可能な機能を有するものであって、自己が音声の聴取に供さないようにユーザによって設定されているかを、送信側となる電子機器に容易に判断させることを可能として、ユーザの取り扱いを便利するようにしたＡＶ装置を提供すること。【解決手段】実施の形態によれば、ＡＶ装置は、受信手段と処理手段と記憶手段と制御手段とを備える。受信手段は、デジタル音声信号を受信する。処理手段は、受信手段で受信されたデジタル音声信号に所定の信号処理を施す。記憶手段は、処理手段での信号処理に要する時間を示す情報が格納されており、音声がミュート状態に設定されたとき、処理手段での信号処理に要する時間を示す情報を通常では取り得ない値に書き替えて格納される。制御手段は、記憶手段に格納された情報を外部要求に応じて出力する。【選択図】    図２
2011234418.tif 000002
【特許請求の範囲】
【請求項１】
デジタル音声信号を受信する受信手段と、
前記受信手段で受信されたデジタル音声信号に所定の信号処理を施す処理手段と、
前記処理手段での信号処理に要する時間を示す情報が格納されており、音声がミュート状態に設定されたとき、前記処理手段での信号処理に要する時間を示す情報を通常では取り得ない値に書き替えて格納される記憶手段と、
前記記憶手段に格納された情報を外部要求に応じて出力する制御手段とを具備するＡＶ装置。
【請求項２】
前記記憶手段は、音声がミュート状態に設定されたとき、前記処理手段での信号処理に要する時間を示す情報を、当該時間が“０”であることを示す値に書き替えて格納される請求項１記載のＡＶ装置。
【請求項３】
前記受信手段は、前記デジタル音声信号をＨＤＭＩ規格に準拠した形態のデジタルデータとして受信する請求項１記載のＡＶ装置。
【請求項４】
前記記憶手段は、ＥＤＩＤメモリである請求項１記載のＡＶ装置。
【請求項５】
それぞれが入力されたデジタル音声信号に所定の信号処理を施す機能を有する複数の第１のＡＶ装置に、前記信号処理に要する時間情報を示すもので、音声がミュート状態に設定されたとき通常では取り得ない値に書き替えられる情報を格納させる第１の手段と、
前記複数の第１のＡＶ装置にデジタル音声信号を送信して音声再生に供させる第２のＡＶ装置に対し、前記第１の手段で前記第１のＡＶ装置に格納された情報を取得させる第２の手段と、
前記第２の手段で取得された情報に基づいて、前記複数の第１のＡＶ装置それぞれの音声ミュートについての設定状態を判断し、前記第２のＡＶ装置から送信されるデジタル音声信号に、前記判断結果に対応した所定の信号処理を施す第３の手段とを具備することを特徴とするインターフェース方式。
【請求項６】
前記第３の手段は、前記第２の手段で取得された情報に基づいて、前記複数の第１のＡＶ装置のうち音声再生可能な第１のＡＶ装置を判別する請求項５記載のインターフェース方式。
【請求項７】
それぞれが入力されたデジタル音声信号に所定の信号処理を施す機能を有する複数の第１のＡＶ装置に、前記信号処理に要する時間情報を示すもので、音声がミュート状態に設定されたとき通常では取り得ない値に書き替えられる情報を格納させる第１の手段と、
前記複数の第１のＡＶ装置にデジタル音声信号を送信して音声再生に供させる第２のＡＶ装置に対し、前記第１の手段で前記第１のＡＶ装置に格納された情報を取得させる第２の手段と、
前記第２の手段で取得された情報に基づいて、前記複数の第１のＡＶ装置それぞれの音声ミュートについての設定状態を判断し、前記第２のＡＶ装置へデジタル音声信号を送信する第３のＡＶ装置が取得する情報に関して、前記判断結果に対応した所定の情報処理を施す第３の手段とを具備するインターフェース方式。
【請求項８】
前記第３の手段は、前記複数の第１のＡＶ装置の音声の動作状態にある側の情報を選択して前記第３のＡＶ装置が取得するＥＤＩＤ情報とする請求項７記載のインターフェース方式。
【発明の詳細な説明】
【技術分野】
【０００１】
この発明の実施の形態は、外部接続された電子機器に対して例えば映像や音声等の信号を送信または受信するＡＶ装置に関する。また、この発明の実施の形態は、上記したＡＶ装置を複数接続するためのインターフェース方式に関する。
【背景技術】
【０００２】
周知のように、デジタル映像信号を伝送するための規格として、ＤＶＩ（digital visual interface）規格が普及している。そして、近年では、このＤＶＩ規格をさらに改良したデジタル信号伝送規格として、ＨＤＭＩ（high definition multimedia interface）規格が採用されるようになってきている。
【０００３】
このＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで接続することが可能であること等々、ＤＶＩ規格にない種々の規定が盛り込まれている。
【０００４】
また、ＶＤＩ規格やＨＤＭＩ規格では、一方の電子機器から他方の電子機器に映像や音声等の信号を伝送する場合、送信側となる電子機器が受信側となる電子機器からＥＤＩＤ（extended display identification data）を取得することにより、受信側の電子機器が有するディスプレイの受信仕様に合わせた形態で信号を出力することができるようになっている。
【０００５】
さらに、ＤＶＩ規格やＨＤＭＩ規格では、送信側となる電子機器に複数の信号出力ポートを設置し、各信号出力ポートにそれぞれ受信側となる電子機器を接続することにより、送信側となる電子機器から受信側となる複数の電子機器に、同時に、同じ信号を、または、信号変換した別のフォーマットの信号を、伝送することが可能である。これにより、受信側となる第１の電子機器で映像のみを表示させ、受信側となる第２の電子機器で音声のみを再生させるような使用形態を実現することができる。
【０００６】
例えば、ＨＤＭＩ規格を採用した場合、送信側となる電子機器としてＤＶＤ（digital versatile disk）等の光ディスクを再生する光ディスク再生装置を想定し、受信側となる複数の電子機器として大画面の高精細ディスプレイと２チャンネルステレオスピーカとを備えたテレビジョン受信機と、５．１チャンネル音声再生機能を備えたＡＶ（audio video）アンプとを想定すると、テレビジョン受信機により高画質での映像表示を行ない、ＡＶアンプにより高音質での音声再生を行なうといった使用形態が可能となる。
【０００７】
ところで、上記のような使用形態を実現する場合、テレビジョン受信機による表示映像とＡＶアンプによる再生音声とを同期させる必要がある。この場合、テレビジョン受信機とＡＶアンプとには、それぞれ、その映像信号及び音声信号の処理に要する時間が上記ＥＤＩＤデータとして記録されている。
【０００８】
このため、光ディスク再生装置は、テレビジョン受信機及びＡＶアンプからそれぞれＥＤＩＤデータを取得し、テレビジョン受信機の映像信号処理に要する時間とＡＶアンプの音声信号処理に要する時間とを用いて、表示映像と再生音声とを同期させるように制御することが可能となる。
【０００９】
しかしながら、現状において、このような同期制御を行なうためには、ユーザが、送信側の電子機器である光ディスク再生装置に対して、どの信号出力ポートに接続されている電子機器で映像表示を行ない、どの信号出力ポートに接続されている電子機器で音声再生を行なうのかを入力設定する必要があり、取り扱いが煩雑になっている。
【００１０】
特許文献１には、送信機器に複数の受信機器を接続してＨＤＭＩ規格に準拠した映像及び音声データを送信する際、受信機器から取得したＥＤＩＤデータに基づいて、映像及び音声再生が可能な受信機器には映像及び音声データを送信し、映像再生のみが可能な受信機器には映像データのみを送信し、音声再生のみが可能な受信機器には音声データのみを送信するようにした構成が開示されている。
【００１１】
また、特許文献２には、チューナと録画再生装置とモニタとを縦列的に接続し、映像信号の受け側から送り側に対して受け取りたい映像信号の仕様を要求することができるとともに、録画再生装置が停止モードにある場合には、チューナから出力される映像信号を直接モニタに伝送するようにした構成が開示されている。
【００１２】
さらに、特許文献３には、ＡＶ機器間を結合する規格としてＩＥＥＥ１３９４が示されており、ＤＶＤプレーヤとＴＶモニタとＡＶアンプとがそれにて結合されており、ＴＶモニタの映像表示処理の処理遅延情報を得る手段と、その情報をＡＶアンプが取得して音声遅延を調整する手段とが記載されている。
【００１３】
また、特許文献４では、ＡＶ機器相互間を結合する規格としてＨＤＭＩ規格が示されており、映像モニタとＡＶアンプ、ＡＶアンプとＤＶＤプレーヤとがそれにて結合されており、モニタの映像表示処理遅延時間を取得する手段と、音声信号を遅延する手段とが記載されている。
【先行技術文献】
【特許文献】
【００１４】
【特許文献１】特開２００５−５７７１４号公報
【特許文献２】特開２００６−１９８５７号公報
【特許文献３】特開２００２−３４４８９８号公報
【特許文献４】特開２００６−３３４３６号公報
【発明の概要】
【発明が解決しようとする課題】
【００１５】
音声を再生可能な機能を有するものであって、自己が音声の聴取に供さないようにユーザによって設定されているかを、送信側となる電子機器に容易に判断させることを可能として、ユーザの取り扱いを便利するようにしたＡＶ装置を提供することを目的とする。
【００１６】
また、自己に接続された受信側となる各電子機器が、それぞれ音声の聴取に供さないようにユーザによって設定されているかを自動的に判断し、受信側となる各電子機器に与える音声信号に、その判断結果に対応した処理を施すことにより、ユーザの取り扱いを便利にし得るようにしたＡＶ装置を提供することを目的とする。
【００１７】
さらに、受信側となる各ＡＶ装置がそれぞれ音声の聴取に供さないようにユーザによって設定されているかを、送信側となるＡＶ装置が自動的に判断し、受信側となる各ＡＶ装置に与える音声信号に、その判断結果に対応した処理を施すことにより、ユーザの取り扱いを便利にし得るようにしたインターフェース方式を提供することを目的とする。
【課題を解決するための手段】
【００１８】
実施の形態によれば、ＡＶ装置は、受信手段と処理手段と記憶手段と制御手段とを備える。受信手段は、デジタル音声信号を受信する。処理手段は、受信手段で受信されたデジタル音声信号に所定の信号処理を施す。記憶手段は、処理手段での信号処理に要する時間を示す情報が格納されており、音声がミュート状態に設定されたとき、処理手段での信号処理に要する時間を示す情報を通常では取り得ない値に書き替えて格納される。制御手段は、記憶手段に格納された情報を外部要求に応じて出力する。
【図面の簡単な説明】
【００１９】
【図１】実施の形態におけるＨＤＭＩ規格に準拠した信号伝送システムの一例を説明するために示すブロック構成図。
【図２】同実施の形態における受信側のＡＶ装置となるテレビジョン受信機の信号処理系を説明するために示すブロック構成図。
【図３】同実施の形態におけるテレビジョン受信機の主要な処理動作を説明するために示すフローチャート。
【図４】同実施の形態における受信側のＡＶ装置となるＡＶアンプの信号処理系を説明するために示すブロック構成図。
【図５】同実施の形態における送信側のＡＶ装置となる光ディスク再生装置の信号処理系を説明するために示すブロック構成図。
【図６】同実施の形態における光ディスク再生装置の主要な処理動作を説明するために示すフローチャート。
【図７】同実施の形態におけるＨＤＭＩ規格に準拠した信号伝送システムの他の例を説明するために示すブロック構成図。
【図８】同信号伝送システムの他の例における送信側のＡＶ装置となるＳＴＢの信号処理系を説明するために示すブロック構成図。
【図９】同信号伝送システムの他の例における送信側のＡＶ装置となる光ディスク再生装置の信号処理系を説明するために示すブロック構成図。
【発明を実施するための形態】
【００２０】
以下、実施の形態について図面を参照して詳細に説明する。図１は、この実施の形態で説明するＨＤＭＩ規格に準拠した信号伝送システムの全体的な構成を示している。すなわち、図１において、符号１１は光ディスク再生装置である。この光ディスク再生装置１１は、信号伝送システムにおける送信側のＡＶ装置となっている。
【００２１】
この光ディスク再生装置１１は、例えばＤＶＤ等の光ディスクに記録されたデータを読み取り、デジタルの映像信号及び音声信号を再生している。そして、この光ディスク再生装置１１で再生されたデジタルの映像信号及び音声信号は、ＨＤＭＩ規格に準拠した形態のデジタルデータに変換されて、受信側となる複数（図示の場合は２つ）のＡＶ装置に出力される。
【００２２】
この実施の形態では、受信側となる２つのＡＶ装置として、大画面で高精細な映像表示が可能なフラットパネルディスプレイを有し、ステレオ２チャンネルの音声再生も可能なテレビジョン受信機１２と、例えば５．１チャンネル等のマルチチャンネルで高音質な音声再生機能を有し、小画面での映像表示も可能なＡＶアンプ１３とを例示している。
【００２３】
図２は、上記テレビジョン受信機１２の信号処理系を示している。なお、図２においては、テレビジョン放送信号を受信し選局して復調する部分の構成については、簡単のため記載を省略している。すなわち、上記光ディスク再生装置１１からＨＤＭＩ規格に準拠した形態で出力されたデジタルデータは、ＴＭＤＳ信号伝送路１４を介してテレビジョン受信機１２の入力端子１５に供給される。
【００２４】
この入力端子１５に供給されたデジタルデータは、ＨＤＭＩ受信部１６に供給されてデジタルの映像信号と音声信号とに分離される。このうち、デジタルの映像信号は、再生部１７を構成する映像処理部１８に供給されて所定の映像信号処理が施された後、フラットパネルディスプレイ１９にて映像表示される。
【００２５】
また、ＨＤＭＩ受信部１６で分離されたデジタルの音声信号は、上記再生部１７を構成する音声処理部２０に供給されて所定の音声信号処理が施された後、ステレオ２チャンネルに対応したスピーカ２１にて音声再生される。
【００２６】
なお、このＨＤＭＩ受信部１６では、分離したデジタルの音声信号に後述する調整遅延データＣＤＬ（control delay）が含まれている場合には、デジタルの音声信号を調整遅延データＣＤＬで指定された時間だけ遅延させて出力する機能を備えている。
【００２７】
そして、このテレビジョン受信機１２は、上記した再生動作を含むその全ての動作を制御部２２によって統括的に制御している。この制御部２２は、ＣＰＵ（central processing unit）２２ａを内蔵しており、操作部２２ｂからの操作情報を受けて、その操作内容が反映されるように各部をそれぞれ制御している。
【００２８】
この場合、制御部２２は、メモリ部２２ｃを利用している。このメモリ部２２ｃは、主として、ＣＰＵ２２ａが実行する制御プログラムを格納したＲＯＭ（read only memory）と、ＣＰＵ２２ａに作業エリアを提供するＲＡＭ（random access memory）と、各種の設定情報及び制御情報等が格納させる不揮発性メモリとを有している。
【００２９】
そして、この制御部２２は、ＥＤＩＤメモリ２３に接続されている。このＥＤＩＤメモリ２３には、テレビジョン受信機１２の受信仕様（映像表示能力・音声再生・表示能力）を示す情報の他に、映像処理部１８での映像信号処理に要する時間ＶＤ１を示す時間情報ＶＤ１Ｄ、音声処理部２０での音声信号処理に要する時間ＡＤ１を示す時間情報ＡＤ１Ｄ等が、ＥＤＩＤとして記録されている。
【００３０】
ここで、上記制御部２２は、ユーザが、上記操作部２２ｂを操作して、例えば映像ミュート状態に設定したとき、つまり、フラットパネルディスプレイ１９における映像表示を停止させる状態に設定したとき、テレビジョン受信機１２が映像の視認に供さない状態に設定されたことを示す情報をＥＤＩＤメモリ２３に書き込むようにしている。
【００３１】
このテレビジョン受信機１２が映像の視認に供さない状態に設定されたことを示す情報を、ＥＤＩＤメモリ２３に書き込むことは、映像処理部１８での映像信号処理に要する時間ＶＤ１を示す時間情報ＶＤ１Ｄを、通常では取りえない値、例えば“０”に書き替えることにより容易に実現される。
【００３２】
また、上記制御部２２は、ユーザが、上記操作部２２ｂを操作して、例えば音声ミュート状態に設定したとき、つまり、スピーカ２１における音声再生を停止させる状態に設定したとき、テレビジョン受信機１２が音声の聴取に供さない状態に設定されたことを示す情報をＥＤＩＤメモリ２３に書き込むようにしている。
【００３３】
このテレビジョン受信機１２が音声の聴取に供さない状態に設定されたことを示す情報を、ＥＤＩＤメモリ２３に書き込むことは、音声処理部２０での音声信号処理に要する時間ＡＤ１を示す時間情報ＡＤ１Ｄを、通常では取りえない値、例えば“０”に書き替えることにより容易に実現される。
【００３４】
すなわち、上記映像処理部１８での映像信号処理に要する時間ＶＤ１及び音声処理部２０での音声信号処理に要する時間ＡＤ１は、通常、例えば１ｍｓｅｃ単位でＥＤＩＤメモリ２３に格納されており、最低でも１ｍｓｅｃであって、“０”になることはありえないものである。このため、時間情報ＶＤ１Ｄ及びＡＤ１Ｄが“０”であることは、通常では取りえない値と定義することができる。
【００３５】
なお、例えば、時間ＶＤ１及びＡＤ１が５ｍｓｅｃ以下にはならないことが予め分かっているシステムであれば、５ｍｓｅｃ以下を通常では取りえない値と定義することが可能となる。
【００３６】
そして、このＥＤＩＤメモリ２３に格納された各種の情報は、送信側のＡＶ装置である光ディスク再生装置１１からの要求によりＥＤＩＤメモリ２３から読み出され、出力端子２４及びＤＤＣ（display data channel）通信路２５を介して、光ディスク再生装置１１に送信される。
【００３７】
このため、光ディスク再生装置１１では、テレビジョン受信機１２のＥＤＩＤメモリ２３から情報を取得し、映像処理部１８での映像信号処理に要する時間ＶＤ１を示す時間情報ＶＤ１Ｄが“０”になっていることにより、テレビジョン受信機１２が映像の視認に供さない状態に設定されていることを容易に識別することができる。
【００３８】
また、光ディスク再生装置１１では、テレビジョン受信機１２のＥＤＩＤメモリ２３から情報を取得し、音声処理部２０での音声信号処理に要する時間ＡＤ１を示す時間情報ＡＤ１Ｄが“０”になっていることにより、テレビジョン受信機１２が音声の聴取に供さない状態に設定されていることを容易に識別することができる。
【００３９】
図３は、上記したテレビジョン受信機１２におけるＥＤＩＤメモリ２３の時間情報ＶＤ１Ｄ，ＡＤ１Ｄを書き替える動作をまとめたフローチャートを示している。すなわち、処理が開始（ステップＳ１）されると、制御部２２は、ステップＳ２で、テレビジョン受信機１２の主電源が投入されたか否かを判別し、主電源が投入されていないと判断された場合（ＮＯ）、処理を終了（ステップＳ９）する。
【００４０】
また、上記ステップＳ２で主電源が投入されたと判断された場合（ＹＥＳ）、制御部２２は、ステップＳ３で、ユーザによって映像ミュート状態に設定されたか否かを判別する。そして、映像ミュート状態に設定されたと判断された場合（ＹＥＳ）、制御部２２は、ステップＳ４で、ＥＤＩＤメモリ２３に格納されている、映像処理部１８での映像信号処理に要する時間ＶＤ１を示す時間情報ＶＤ１Ｄを“０”に設定する。
【００４１】
一方、上記ステップＳ３で映像ミュート状態に設定されていないと判断された場合（ＮＯ）、制御部２２は、ステップＳ５で、ＥＤＩＤメモリ２３に格納されている、映像処理部１８での映像信号処理に要する時間ＶＤ１を示す時間情報ＶＤ１Ｄを、本来の値に設定する。
【００４２】
そして、上記ステップＳ４またはＳ５の後、制御部２２は、ステップＳ６で、ユーザによって音声ミュート状態に設定されたか否かを判別する。そして、音声ミュート状態に設定されたと判断された場合（ＹＥＳ）、制御部２２は、ステップＳ７で、ＥＤＩＤメモリ２３に格納されている、音声処理部２０での音声信号処理に要する時間ＡＤ１を示す時間情報ＡＤ１Ｄを“０”に設定して、ステップＳ２の処理に戻される。
【００４３】
また、上記ステップＳ６で音声ミュート状態に設定されていないと判断された場合（ＮＯ）、制御部２２は、ステップＳ８で、ＥＤＩＤメモリ２３に格納されている、音声処理部２０での音声信号処理に要する時間ＡＤ１を示す時間情報ＡＤ１Ｄを、本来の値に設定して、ステップＳ２の処理に戻される。
【００４４】
上記した受信側のＡＶ装置となるテレビジョン受信機１２によれば、ユーザによって映像ミュート状態に設定された場合、ＥＤＩＤメモリ２３に格納された、映像処理部１８での映像信号処理に要する時間ＶＤ１を示す時間情報ＶＤ１Ｄを“０”に設定し、ユーザによって音声ミュート状態に設定された場合、ＥＤＩＤメモリ２３に格納された、音声処理部２０での音声信号処理に要する時間ＡＤ１を示す時間情報ＡＤ１Ｄを“０”に設定するようにしている。
【００４５】
このため、テレビジョン受信機１２は、そのＥＤＩＤメモリ２３に格納されている時間情報ＶＤ１Ｄ，ＡＤ１Ｄを、送信側のＡＶ装置である光ディスク再生装置１１に取得させることにより、テレビジョン受信機１２が映像または音声の視聴に供さない状態に設定されていることを容易に識別させることができる。
【００４６】
なお、テレビジョン受信機１２としては、その操作部２２ｂの音声ミュートキーを操作した場合に音声ミュート状態に設定されるだけでなく、操作部２２ｂの音量調整操作子を最小の音量に対応する位置に絞り込んだ場合にも、音声ミュート状態に設定される。すなわち、映像ミュートや音声ミュートと表現している上記は、主に視聴に供与していない状態を意味しているのである。
【００４７】
図４は、上記ＡＶアンプ１３の信号処理系を示している。すなわち、上記光ディスク再生装置１１からＨＤＭＩ規格に準拠した形態で出力されたデジタルデータは、ＴＭＤＳ信号伝送路２６を介してＡＶアンプ１３の入力端子２７に供給される。
【００４８】
この入力端子２７に供給されたデジタルデータは、ＨＤＭＩ受信部２８に供給されてデジタルの映像信号と音声信号とに分離される。このうち、デジタルの映像信号は、再生部２９を構成する映像処理部３０に供給されて所定の映像信号処理が施された後、小画面のディスプレイ３１にて映像表示される。
【００４９】
また、ＨＤＭＩ受信部２８で分離されたデジタルの音声信号は、上記再生部２９を構成する音声処理部３２に供給されて所定の音声信号処理が施された後、５．１チャンネルに対応したスピーカ３３にて音声再生される。
【００５０】
なお、このＨＤＭＩ受信部２８では、分離したデジタルの音声信号に後述する調整遅延データＣＤＬが含まれている場合には、デジタルの音声信号を調整遅延データＣＤＬで指定された時間だけ遅延させて出力する機能を備えている。
【００５１】
そして、このＡＶアンプ１３は、上記した再生動作を含むその全ての動作を制御部３４によって統括的に制御している。この制御部３４は、ＣＰＵ３４ａを内蔵しており、操作部３４ｂからの操作情報に基づいて、その操作内容が反映されるように各部をそれぞれ制御している。
【００５２】
この場合、制御部３４は、メモリ部３４ｃを利用している。このメモリ部３４ｃは、主として、ＣＰＵ３４ａが実行する制御プログラムを格納したＲＯＭと、ＣＰＵ３４ａに作業エリアを提供するＲＡＭと、各種の設定情報及び制御情報等が格納させる不揮発性メモリとを有している。
【００５３】
そして、この制御部３４は、ＥＤＩＤメモリ３５に接続されている。このＥＤＩＤメモリ２３には、ＡＶアンプ１３の受信仕様（映像表示能力・音声再生能力）を示す情報の他に、映像処理部３０での映像信号処理に要する時間ＶＤ２を示す時間情報ＶＤ２Ｄ、音声処理部３２での音声信号処理に要する時間ＡＤ２を示す時間情報ＡＤ２Ｄ等が、ＥＤＩＤとして記録されている。
【００５４】
ここで、上記制御部３４は、ユーザが、上記操作部３４ｂを操作して、例えば映像ミュート状態に設定したとき、つまり、ディスプレイ３１における映像表示を停止させる状態に設定したとき、ＡＶアンプ１３が映像の視認に供さない（実際、映像表示はしているかもしれないが、ユーザは主にテレビジョン受信機１２を見ている）状態に設定されたことを示す情報をＥＤＩＤメモリ３５に書き込むようにしている。
【００５５】
このＡＶアンプ１３が映像の視認に供さない状態に設定されたことを示す情報を、ＥＤＩＤメモリ３５に書き込むことは、映像処理部３０での映像信号処理に要する時間ＶＤ２を示す時間情報ＶＤ２Ｄを、通常では取りえない値、例えば“０”に書き替えることにより容易に実現される。
【００５６】
また、上記制御部３４は、ユーザが、上記操作部３４ｂを操作して、例えば音声ミュート状態に設定したとき、つまり、スピーカ３３における音声再生を停止させる状態に設定したとき、ＡＶアンプ１３が音声の聴取に供さない状態に設定されたことを示す情報をＥＤＩＤメモリ３５に書き込むようにしている。
【００５７】
このＡＶアンプ１３が音声の聴取に供さない状態に設定されたことを示す情報を、ＥＤＩＤメモリ３５に書き込むことは、音声処理部３２での音声信号処理に要する時間ＡＤ２を示す時間情報ＡＤ２Ｄを、通常では取りえない値、例えば“０”に書き替えることにより容易に実現される。
【００５８】
すなわち、上記映像処理部３０での映像信号処理に要する時間ＶＤ２及び音声処理部３２での音声信号処理に要する時間ＡＤ２は、通常、例えば１ｍｓｅｃ単位でＥＤＩＤメモリ３５に格納されており、最低でも１ｍｓｅｃであって、“０”になることはありえないものである。このため、時間情報ＶＤ２Ｄ及びＡＤ２Ｄが“０”であることは、通常では取りえない値と定義することができる。
【００５９】
なお、例えば、時間ＶＤ２及びＡＤ２が５ｍｓｅｃ以下にはならないことが予め分かっているシステムであれば、５ｍｓｅｃ以下を通常では取りえない値と定義することが可能となる。
【００６０】
そして、このＥＤＩＤメモリ３５に格納された各種の情報は、送信側のＡＶ装置である光ディスク再生装置１１からの要求によりＥＤＩＤメモリ３５から読み出され、出力端子３６及びＤＤＣ通信路３７を介して、光ディスク再生装置１１に送信される。
【００６１】
このため、光ディスク再生装置１１では、ＡＶアンプ１３のＥＤＩＤメモリ３５から情報を取得し、映像処理部３０での映像信号処理に要する時間ＶＤ２を示す時間情報ＶＤ２Ｄが“０”になっていることにより、ＡＶアンプ１３が映像の視認に供さない状態に設定されていることを容易に識別することができる。
【００６２】
また、光ディスク再生装置１１では、ＡＶアンプ１３のＥＤＩＤメモリ３５から情報を取得し、音声処理部３２での音声信号処理に要する時間ＡＤ２を示す時間情報ＡＤ２Ｄが“０”になっていることにより、ＡＶアンプ１３が音声の聴取に供さない状態に設定されていることを容易に識別することができる。
【００６３】
上記した受信側のＡＶ装置となるＡＶアンプ１３によれば、ユーザによって映像ミュート状態に設定された場合、ＥＤＩＤメモリ３５に格納された、映像処理部３０での映像信号処理に要する時間ＶＤ２を示す時間情報ＶＤ２Ｄを“０”に設定し、ユーザによって音声ミュート状態に設定された場合、ＥＤＩＤメモリ３５に格納された、音声処理部３２での音声信号処理に要する時間ＡＤ２を示す時間情報ＡＤ２Ｄを“０”に設定するようにしている。
【００６４】
このため、ＡＶアンプ１３は、そのＥＤＩＤメモリ３５に格納されている時間情報ＶＤ２Ｄ，ＡＤ２Ｄを、送信側のＡＶ装置である光ディスク再生装置１１に取得させることにより、ＡＶアンプ１３が映像または音声の視聴に供さない状態に設定されていることを容易に識別させることができる。
【００６５】
なお、ＡＶアンプ１３としては、その操作部３４ｂの音声ミュートキーを操作した場合に音声ミュート状態に設定されるだけでなく、操作部３４ｂの音量調整操作子を最小の音量に対応する位置に絞り込んだ場合にも、音声ミュート状態に設定される。あるいは、ヘッドフォンで聴取する状態であり、主に映像表示しないとしてユーザ設定されている場合等にも、音声ミュート状態に設定される。
【００６６】
図５は、上記光ディスク再生装置１１の信号処理系を示している。すなわち、ＤＶＤ等の光ディスク３８は、ディスク再生部３９を構成するディスクドライブ部４０に装着されて、そこに記録されたデータが読み取られる。このディスクドライブ部４０で読み取られたデータは、映像復号部４１及び音声復号部４２にそれぞれ供給される。
【００６７】
このうち、映像復号部４１は、入力されたデータから映像成分を取り出して復号化処理を施すことにより、デジタルの映像信号を生成している。また、音声復号部４２は、入力されたデータから音声成分を取り出して復号化処理を施すことにより、デジタルの音声信号を生成している。
【００６８】
そして、上記音声復号部４２で生成されたデジタルの音声信号は、遅延調整部４３に供給されて後述する所定量の遅延処理が施される。また、この遅延調整部４３は、入力されたデジタルの音声信号に遅延処理を施す際の遅延量を調整している。
【００６９】
ここで、上記映像復号部４１で生成されたデジタルの映像信号は、２つのＨＤＭＩ送信部４４，４５の各一方の入力端に供給されている。そして、ＨＤＭＩ送信部４４の他方の入力端には、音声復号部４２から出力されたデジタルの音声信号と、遅延調整部４３から出力されたデジタルの音声信号とが、選択部４６を構成するスイッチ４７によって選択的に供給されるようになっている。
【００７０】
また、ＨＤＭＩ送信部４５の他方の入力端には、音声復号部４２から出力されたデジタルの音声信号と、遅延調整部４３から出力されたデジタルの音声信号とが、選択部４６を構成するスイッチ４８によって選択的に供給されるようになっている。
【００７１】
そして、上記ＨＤＭＩ送信部４４は、入力されたデジタルの映像信号と音声信号とを時間的に多重化して、ＨＤＭＩ規格に準拠した形態のデジタルデータに変換し、入出力ポート４９の出力端子４９ａ及び前記ＴＭＤＳ信号伝送路１４を介してテレビジョン受信機１２に出力している。
【００７２】
また、上記ＨＤＭＩ送信部４５は、入力されたデジタルの映像信号と音声信号とを時間的に多重化して、ＨＤＭＩ規格に準拠した形態のデジタルデータに変換し、入出力ポート５０の出力端子５０ａ及び前記ＴＭＤＳ信号伝送路２６を介してＡＶアンプ１３に出力している。
【００７３】
そして、この光ディスク再生装置１１は、上記した再生動作を含むその全ての動作を制御部５１によって統括的に制御している。この制御部５１は、ＣＰＵ５１ａを内蔵しており、操作部５１ｂからの操作情報に基づいて、その操作内容が反映されるように各部をそれぞれ制御している。
【００７４】
この場合、制御部５１は、メモリ部５１ｃを利用している。このメモリ部５１ｃは、主として、ＣＰＵ５１ａが実行する制御プログラムを格納したＲＯＭと、ＣＰＵ５１ａに作業エリアを提供するＲＡＭと、各種の設定情報及び制御情報等が格納させる不揮発性メモリとを有している。
【００７５】
また、この制御部５１は、入出力ポート４９の入力端子４９ｂを介して、テレビジョン受信機１２のＥＤＩＤメモリ２３から読み出した情報を伝送するためのＤＤＣ通信路２５に接続されている。さらに、この制御部５１は、入出力ポート５０の入力端子５０ｂを介して、ＡＶアンプ１３のＥＤＩＤメモリ３５から読み出した情報を伝送するためのＤＤＣ通信路３７に接続されている。
【００７６】
これにより、制御部５１は、テレビジョン受信機１２のＥＤＩＤメモリ２３に格納された情報と、ＡＶアンプ１３のＥＤＩＤメモリ３５に格納された情報とを、それぞれ取得することができる。
【００７７】
図６は、上記光ディスク再生装置１１が、テレビジョン受信機１２のＥＤＩＤメモリ２３に格納された情報と、ＡＶアンプ１３のＥＤＩＤメモリ３５に格納された情報とに基づいて、映像表示を行なうＡＶ装置と音声再生を行なうＡＶ装置とを自動的に判断し、表示映像と再生音声が同期するように制御する動作をまとめたフローチャートを示している。
【００７８】
なお、ここでの動作説明では、ユーザが、テレビジョン受信機１２のフラットパネルディスプレイ１９による表示映像の視認と、ＡＶアンプ１３のスピーカ３３による再生音声の聴取とを行なうように設定している例を説明する。
【００７９】
すなわち、この場合、ユーザは、テレビジョン受信機１２を音声ミュート状態、つまり、テレビジョン受信機１２を音声の聴取に供さない状態に設定し、ＡＶアンプ１３を映像ミュート状態、つまり、ＡＶアンプ１３を映像の視認に供さない状態に設定している。
【００８０】
このため、テレビジョン受信機１２のＥＤＩＤメモリ２３では、その音声処理部２０での音声信号処理に要する時間ＡＤ１を示す時間情報ＡＤ１Ｄが“０”に設定され、ＡＶアンプ１３のＥＤＩＤメモリ３５では、その映像処理部３０での映像信号処理に要する時間ＶＤ２を示す時間情報ＶＤ２Ｄが“０”に設定されている。
【００８１】
ここで、処理が開始（ステップＳ１０）されると、光ディスク再生装置１１の制御部５１は、ステップＳ１１で、２つの入出力ポート４９，５０の両方にそれぞれ受信側となるＡＶ装置（この場合、テレビジョン受信機１２及びＡＶアンプ１３）が接続されたか否かを判別する。
【００８２】
そして、接続されたと判断された場合（ＹＥＳ）、制御部５１は、ステップＳ１２で、テレビジョン受信機１２に要求してそのＥＤＩＤメモリ２３に格納された情報を取得し、ステップＳ１３で、ＡＶ装置１３に要求してそのＥＤＩＤメモリ３５に格納された情報を取得する。
【００８３】
その後、制御部５１は、ステップＳ１４で、各ＥＤＩＤメモリ２３，３５から取得した情報のうち、映像処理部１８での映像信号処理に要する時間ＶＤ１を示す時間情報ＶＤ１Ｄ、音声処理部２０での音声信号処理に要する時間ＡＤ１を示す時間情報ＡＤ１Ｄ、映像処理部３０での映像信号処理に要する時間ＶＤ２を示す時間情報ＶＤ２Ｄ、音声処理部３２での音声信号処理に要する時間ＡＤ２を示す時間情報ＡＤ２Ｄの各値を識別する。
【００８４】
この場合、先に述べたように、時間情報ＡＤ１Ｄ及びＶＤ２Ｄが“０”であり、時間情報ＶＤ１Ｄ及びＡＤ２Ｄが所定の値を有している。これにより、制御部５１は、テレビジョン受信機１２が音声の聴取に供さない状態に設定され、ＡＶアンプ１３が映像の視認に供さない状態に設定されている、つまり、テレビジョン受信機１２による映像表示と、ＡＶアンプ１３による音声再生とが行なわれるように設定されていると判断することができる。
【００８５】
このため、制御部５１は、ステップＳ１５で、映像処理部１８での映像信号処理に要する時間ＶＤ１を示す時間情報ＶＤ１Ｄと、音声処理部３２での音声信号処理に要する時間ＡＤ２を示す時間情報ＡＤ２Ｄとの差分を遅延調整部４３に供給して、テレビジョン受信機１２のフラットパネルディスプレイ１９で表示される映像と、ＡＶアンプ１３のスピーカ３３で再生される音声とが同期されるように、音声復号部４２から出力されたデジタルの音声信号を遅延させて、処理を終了（ステップＳ１６）する。
【００８６】
遅延調整部４３では、音声処理部３２から出力される音声信号を映像処理部１８から出力される映像信号に同期させるように、つまり、信号処理に要する時間の短い方を長い方に合わせるように、時間情報ＶＤ１Ｄから時間情報ＡＤ２Ｄを減算した時間分だけ、音声復号部４２から出力されたデジタルの音声信号を遅延すべく、遅延調整部４３で、時間情報ＶＤ１Ｄから時間情報ＡＤ２Ｄを減算した時間分を遅延させている。
【００８７】
そして、光ディスク再生装置１１の映像復号部４１から出力されたデジタルの映像信号は、ＨＤＭＩ送信部４４，４５を介してテレビジョン受信機１２及びＡＶアンプ１３に供給されるが、ＡＶアンプ１３は映像ミュート状態に設定されているので、テレビジョン受信機１２のフラットパネルディスプレイ１９での映像表示に供される。
【００８８】
また、音声復号部４２及び遅延調整部４３から出力されるデジタルの各音声信号は、選択部４６のスイッチ４７によって選択され、ＨＤＭＩ送信部４４を介してテレビジョン受信機１２に供給されるが、テレビジョン受信機１２は音声ミュート状態に設定されているので、そこでの音声再生には供されないことになる。
【００８９】
一方、音声復号部４２及び遅延調整部４３から出力されるデジタルの各音声信号は、選択部４６のスイッチ４８によって選択され、ＨＤＭＩ送信部４５を介してＡＶアンプ１３に供給され、そこでの音声再生に供される。
【００９０】
この場合、スイッチ４８が、図５に示すように、遅延調整部４３から出力されるデジタルの音声信号をＨＤＭＩ送信部４５に供給するように切り替えられているとすると、ＡＶアンプ１３には、表示映像と同期するために必要な量の遅延処理が既に施されたデジタルの音声信号が供給される。このため、ＡＶアンプ１３では、供給されたデジタルの音声信号をそのまま信号処理してスピーカ３３で音声再生させれば、音声を映像と同期させることが可能となる。このことを伝達させる手段が、ＡＶアンプ１３側に伝達する調整遅延データＣＤＬで、この場合は、“０”となる。光ディスク再生装置１１側で調整遅延データＣＤＬを計算し、遅延を調整し、後段での調整値ＣＤＬを計算して送っている。
【００９１】
また、上記スイッチ４８が、図５と逆に、音声復号部４２から出力されるデジタルの音声信号をＨＤＭＩ送信部４５に供給するように切り替えられているとすると、ＡＶアンプ１３には、遅延処理が施されずに調整遅延データＣＤＬが多重化された信号がＨＤＭＩ伝送として供給されることになる。
【００９２】
この場合、ＡＶアンプ１３のＨＤＭＩ受信部２８では、入力されたデジタルデータからデジタルの映像信号と音声信号とを分離した後、ＨＤＭＩ信号に対して、そこに多重化されている調整遅延データＣＤＬに基づいた遅延処理を施して出力するように機能している。このため、ＡＶアンプ１３では、ＨＤＭＩ受信部２８によって、表示映像と同期するために必要な量の遅延処理が施されたデジタルの音声信号を信号処理してスピーカ３３で音声再生させることにより、音声を映像と同期させることが可能となる。
【００９３】
上記選択部４６の各スイッチ４７，４８は、制御部５１の制御に基づいて切り替えられる。例えば、制御部５１は、受信側となる外部のＡＶ装置から取得したＥＤＩＤに基づいて各ＡＶ装置の性能を識別し、その識別結果に応じて各スイッチ４７，４８の切り替えを制御することができる。
【００９４】
上記した光ディスク再生装置１１によれば、受信側となるテレビジョン受信機１２及びＡＶアンプ１３のＥＤＩＤメモリ２３，３５に格納された時間情報ＶＤ１Ｄ、ＡＤ１Ｄ、ＶＤ２Ｄ、ＡＤ２Ｄに基づいて、テレビジョン受信機１２が音声の聴取に供さないようにユーザによって設定され、ＡＶアンプ１３が映像の視認に供さないようにユーザによって設定されていることを自動的に識別し、テレビジョン受信機１２によって表示される映像と、ＡＶアンプ１３によって再生される音声とが同期されるように制御したので、ユーザにとっての取り扱いを非常に便利にすることができる。
【００９５】
なお、上記した光ディスク再生装置１１では、復号化処理の施されたデジタルの音声信号をＡＶアンプ１３に供給して音声再生させるようにしたが、例えば、復号化処理される前の圧縮された形態のデジタルの音声信号をＡＶアンプ１３に供給し、ＡＶアンプ１３で音声信号に復号化処理を施すように構成しても良いことはもちろんである。
【００９６】
図７は、ＨＤＭＩ規格に準拠した信号伝送システムの他の例を示している。すなわち、この信号伝送システムでは、送信側となるＡＶ装置としてＳＴＢ（set top box）５２を備えている。
【００９７】
そして、このＳＴＢ５２で生成されたデジタルの映像信号及び音声信号は、ＨＤＭＩ規格に準拠した形態のデジタルデータに変換された後、上記光ディスク再生装置１１を中継装置として介して、受信側のＡＶ装置となるテレビジョン受信機１２及びＡＶアンプ１３に供給され、映像表示及び音声再生に供される。
【００９８】
図８は、上記ＳＴＢ５２の信号処理系を示している。すなわち、アンテナ５３で受信されたテレビジョン放送信号は、入力端子５４を介して選局・復号部５５に供給される。この選局・復号部５５は、入力されたテレビジョン放送信号から所定のチャンネルの信号を選局し、その選局した信号に復号化処理を施すことにより、デジタルの映像信号及び音声信号を生成している。
【００９９】
そして、この選局・復号部５５で生成されたデジタルの映像信号及び音声信号は、ＨＤＭＩ送信部５６に供給される。このＨＤＭＩ送信部５６は、入力されたデジタルの映像信号と音声信号とを時間的に多重化して、ＨＤＭＩ規格に準拠した形態のデジタルデータに変換し、出力端子５７及びＴＭＤＳ信号伝送路５８を介して光ディスク再生装置１１に出力している。
【０１００】
そして、このＳＴＢ５２は、上記した受信動作を含むその全ての動作を制御部５９によって統括的に制御している。この制御部５９は、ＣＰＵ５９ａを内蔵しており、操作部５９ｂからの操作情報に基づいて、その操作内容が反映されるように各部をそれぞれ制御している。
【０１０１】
この場合、制御部５９は、メモリ部５９ｃを利用している。このメモリ部５９ｃは、主として、ＣＰＵ５９ａが実行する制御プログラムを格納したＲＯＭと、ＣＰＵ５９ａに作業エリアを提供するＲＡＭと、各種の設定情報及び制御情報等が格納させる不揮発性メモリとを有している。
【０１０２】
また、この制御部５９は、入力端子６０を介して、光ディスク再生装置１１に設けられた後述するＥＤＩＤメモリから読み出した情報を伝送するためのＤＤＣ通信路６１に接続されている。
【０１０３】
図９は、中継装置として使用される場合の光ディスク再生装置１１の信号処理系を示している。図９において、図５と同一部分には同一符号を付して示している。すなわち、上記ＳＴＢ５２からＴＭＤＳ信号伝送路５８を介して供給されるＨＤＭＩ規格に準拠した形態のデジタルデータは、入出力ポート６２の入力端子６２ａを介してＨＤＭＩ受信部６３に供給される。
【０１０４】
このＨＤＭＩ受信部６３は、入力されたデジタルデータをデジタルの映像信号と音声信号とに分離している。そして、このＨＤＭＩ受信部６３から出力されるデジタルの映像信号及び音声信号は、上記選択部４６に供給される。
【０１０５】
この場合、上記選択部４６は、ＨＤＭＩ受信部６３から出力されるデジタルの映像信号及び音声信号を、ＨＤＭＩ送信部４４，４５にそれぞれ供給することと、上記ディスク再生部３９の映像復号部４１から出力されるデジタルの映像信号をＨＤＭＩ送信部４４，４５にそれぞれ供給するとともに、音声復号部４２から出力されるデジタルの音声信号と遅延調整部４３から出力されるデジタルの音声信号とに対して、先に図５で説明したような切り替えを行なってＨＤＭＩ送信部４４，４５にそれぞれ供給することとを選択的に行なえるように、その機能が拡張されている。
【０１０６】
また、光ディスク再生装置１１は、ＥＤＩＤメモリ６４を内蔵している。そして、前述したように、テレビジョン受信機１２が音声ミュート状態に設定され、ＡＶアンプ１３が映像ミュート状態に設定されている場合、制御部５１は、テレビジョン受信機１２のＥＤＩＤメモリ２３から取得した映像表示に関わる情報を書き写し、また、映像処理部１８での映像信号処理に要する時間ＶＤ１を示す時間情報ＶＤ１Ｄに、光ディスク再生装置１１における選択部４６の映像信号の遅延時間ＶＤ３を示す情報を加算した時間情報ＶＤ３Ｄを、ＥＤＩＤメモリ６４に記録する。
【０１０７】
さらに、制御部５１は、ＡＶアンプ１３のＥＤＩＤメモリ３５から取得した音声表示に関わる情報を書き写し、また、音声処理部３２での音声信号処理に要する時間ＡＤ２を示す時間情報ＡＤ２Ｄに、光ディスク再生装置１１における選択部４６の音声信号の遅延時間ＡＤ３を示す情報を加算した時間情報ＡＤ３Ｄを、ＥＤＩＤメモリ６４に記録する。
【０１０８】
そして、このＥＤＩＤメモリ６４に格納された時間情報ＶＤ３Ｄ及びＡＤ３Ｄは、送信側のＡＶ装置であるＳＴＢ５２からの要求によりＥＤＩＤメモリ６４から読み出され、入出力ポート６２の前記ＤＤＣ通信路６１を介して、ＳＴＢ５２に送信される。
【０１０９】
すると、ＳＴＢ５２の制御部５９は、光ディスク再生装置１１のＥＤＩＤメモリ６４から取得した時間情報ＶＤ３Ｄと、ＳＴＢ５２の選局・復号部５５での映像処理遅延時間との和、及び時間情報ＡＤ３ＤとＴＢ５２の選局・復号部５５での音声処理遅延時間との和の差分を演算し、その差分に対応した時間を示す情報を調整遅延データＣＤＬとしてＨＤＭＩ送信部５６に出力する。これにより、ＨＤＭＩ送信部５６では、調整遅延データＣＤＬをデジタル信号に多重化して出力している。
【０１１０】
このため、光ディスク再生装置１１のＨＤＭＩ受信部６３では、入力されたデジタルデータからデジタルの映像信号と音声信号とを分離した後、デジタルの音声信号に対して、そこに多重化されている調整遅延データＣＤＬに基づいた遅延処理を施して、ＡＶアンプ１３に出力するように機能する。このため、ＡＶアンプ１３では、表示映像と同期するために必要な量の遅延処理が既に施されたデジタルの音声信号を信号処理してスピーカ３３で音声再生させることにより、音声を映像と同期させることが可能となる。
【０１１１】
上記のように中継装置として光ディスク再生装置１１を使用した場合でも、テレビジョン受信機１２が音声の聴取に供さないようにユーザによって設定され、ＡＶアンプ１３が映像の視認に供さないようにユーザによって設定されていることを自動的に識別することができる。
【０１１２】
そして、送信側のＡＶ装置であるＳＴＢ５２から出力されるデジタルデータに対して、中継装置となる光ディスク再生装置１１による信号遅延も考慮した上で、テレビジョン受信機１２によって表示される映像と、ＡＶアンプ１３によって再生される音声とが同期されるように制御することができ、ユーザにとっての取り扱いを非常に便利にすることができる。
【０１１３】
なお、光ディスク再生装置１１を中継装置として使用する上記の説明では、光ディスク再生装置１１のＨＤＭＩ受信部６３が、デジタルの音声信号に対してそこに含まれる調整遅延データＣＤＬに基づいた遅延処理を施すこととしたが、これに限らず、調整遅延データＣＤＬが多重化されたデジタルの音声信号をそのままＡＶアンプ１３まで中継し、ＡＶアンプ１３のＨＤＭＩ受信部２８で、デジタルの音声信号に対してそこに含まれる調整遅延データＣＤＬに基づいた遅延処理を施すようにしても良いものである。
【０１１４】
また、ＳＴＢ５２に復号化処理の施されたデジタルの音声信号を遅延させる遅延回路を内蔵し、光ディスク再生装置１１のＥＤＩＤメモリ６４から取得した時間情報ＶＤ３ＤとＳＴＢ５２の選局・復号部５５での映像処理遅延時間との和、及び時間情報ＡＤ３ＤとＳＴＢ５２の選局・復号部５５での音声処理遅延時間との和の差分に対応した時間だけ、デジタルの音声信号を遅延させてＳＴＢ５２から出力させるようにすることも可能である。
【０１１５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。また、上記した実施の形態では、ＨＤＭＩをあげたが、送信側に受信側の状態を伝送できる他のインターフェース規格、例えばＩＥＥＥ１３９４を利用する場合においても可能である。
【符号の説明】
【０１１６】
１１…光ディスク再生装置、１２…テレビジョン受信機、１３…ＡＶアンプ、１４…ＴＭＤＳ信号伝送路、１５…入力端子、１６…ＨＤＭＩ受信部、１７…再生部、１８…映像処理部、１９…フラットパネルディスプレイ、２０…音声処理部、２１…スピーカ、２２…制御部、２３…ＥＤＩＤメモリ、２４…出力端子、２５…ＤＤＣ通信路、２６…ＴＭＤＳ信号伝送路、２７…入力端子、２８…ＨＤＭＩ受信部、２９…再生部、３０…映像処理部、３１…ディスプレイ、３２…音声処理部、３３…スピーカ、３４…制御部、３５…ＥＤＩＤメモリ、３６…出力端子、３７…ＤＤＣ通信路、３８…光ディスク、３９…ディスク再生部、４０…ディスクドライブ部、４１…映像復号部、４２…音声復号部、４３…遅延調整部、４４，４５…ＨＤＭＩ送信部、４６…選択部、４７，４８…スイッチ、４９，５０…入出力ポート、５１…制御部、５２…ＳＴＢ、５３…アンテナ、５４…入力端子、５５…選局・復号部、５６…ＨＤＭＩ送信部、５７…出力端子、５８…ＴＭＤＳ信号伝送路、５９…制御部、６０…入力端子、６１…ＤＤＣ通信路、６２…入出力ポート、６３…ＨＤＭＩ受信部、６４…ＥＤＩＤメモリ。
【図１】
2011234418.tif 000003
【図２】
2011234418.tif 000004
【図３】
2011234418.tif 000005
【図４】
2011234418.tif 000006
【図５】
2011234418.tif 000007
【図６】
2011234418.tif 000008
【図７】
2011234418.tif 000009
【図８】
2011234418.tif 000010
【図９】
2011234418.tif 000011